(57)【要約】      （修正有）【課題】構造を簡単にして低価格の、止め具を不要として邪魔になることなく、きわめて斬新なデザインの小物入れケースを提供する。【解決手段】両端面２，２’を閉面とし表面を円弧面とし少なくとも何れか一方の内面に小物入れ用窪み部３を設けた一対の収納体１，１’を設け、これら一対の収納体１，１’の内面を対面させて配置し、一方の収納体１の一部の表面に取付用帯６を接触させ、取付用帯６の一端を一方の収納体１の縁７に固着する一方取付用帯６の他端を他方の収納体１’の縁８’に固着するとともに、他方の収納体１’の一部の表面に同じく取付用帯６’を接触させ、この取付用帯６’の一端を他方の収納体１’の縁８に固着する一方その取付用帯６’の他端を一方の収納体１の縁７’に固着させてなり、一方の収納体１の取付用帯６と他方の収納体１’の取付用帯６’とを交互に配置させてなるものである。【選択図】図１
0003117363.tif 000002
【実用新案登録請求の範囲】
【請求項１】
両端面を閉面とし表面を円弧面とし少なくとも何れか一方の内面に小物入れ用窪み部を設けた一対の収納体を設け、これら一対の収納体の内面を対面させて配置し、一方の収納体の一部の表面に取付用帯を接触させ、取付用帯の一端を一方の収納体の縁に固着する一方取付用帯の他端を他方の収納体の縁に固着するとともに、他方の収納体の一部の表面に同じく取付用帯を接触させ、この取付用帯の一端を他方の収納体の縁に固着する一方その取付用帯の他端を一方の収納体の縁に固着させてなり、一方の収納体の取付用帯と他方の収納体の取付用帯とを交互に配置させてなる小物入れケース。
【請求項２】
一方の収納体の取付用帯を収納体の中央部に位置付け、他方の収納体の取付用帯を上記一方の収納体の取付用帯の両側に配置させ、他方の収納体の両端にまで達して位置付けてなる上記請求項１に記載の小物入れケース。
【請求項３】
一方の収納体の取付用帯を複数配置させ、他方の収納体の取付用帯も複数配置させてなる上記請求項１に記載の小物入れケース。
【請求項４】
上記一対の収納体を磁性体により構成して着磁させ、一対の収納体の閉状態を保持するようにしてなる上記請求項１乃至３の何れかに記載の小物入れケース。
【請求項５】
それぞれの収納体の両端面を磁性体にして着磁させ、一対の収納体の閉状態を保持するようにしてなる上記請求項１乃至３の何れかに記載の小物入れケース。
【考案の詳細な説明】
【技術分野】
【０００１】
本考案は、例えば印鑑、筆記具、眼鏡等の日常よく使用する小物を収める小物入れケースに関する。
【背景技術】
【０００２】
公知の印鑑ケースとして、印鑑を収めるケース本体と蓋とからなり、ケース本体に蓋をヒンジ連結し、蓋を閉じたときに蓋をケース本体に結合する止め具を備えるものが知られている（例えば特許文献１）。
また、眼鏡ケースとしても眼鏡を収めるケース本体と蓋とからなり、ケース本体に蓋をヒンジ連結し、蓋を閉じたときに蓋をケース本体に結合する止め具を備えるものが知られている（例えば特許文献２）。
【特許文献１】特開平７−２４２０４７号公報
【特許文献２】特開平１０−１４６２１１号公報
【考案の開示】
【考案が解決しようとする課題】
【０００３】
上記の公知のケースは、ケース本体と蓋とからなり、ケース本体に蓋をヒンジ連結し、蓋を閉じた際にこれらを結合するために止め具を備えている。即ち、部品点数が多いということにより、低価格で提供できないという課題があり、また止め具が突出するということで邪魔になるという課題がある。
本考案は、この点に鑑み、構造を簡単にして低価格で提供でき、止め具を不要として邪魔になることなく、きわめて斬新なデザインの小物入れケースを提供するものである。
【課題を解決するための手段】
【０００４】
そのために、本考案小物入れケースは、両端面を閉面とし表面を円弧面とし少なくとも何れか一方の内面に小物入れ用窪み部を設けた一対の収納体を設け、これら一対の収納体の内面を対面させて配置し、一方の収納体の一部の表面に取付用帯を接触させ、取付用帯の一端を一方の収納体の縁に固着する一方取付用帯の他端を他方の収納体の縁に固着するとともに、他方の収納体の一部の表面に同じく取付用帯を接触させ、この取付用帯の一端を他方の収納体の縁に固着する一方その取付用帯の他端を一方の収納体の縁に固着させてなり、一方の収納体の取付用帯と他方の収納体の取付用帯とを交互に配置させてなるものである。
【０００５】
また、本考案小物入れケースは、一方の収納体の取付用帯を収納体の中央部に位置付け、他方の収納体の取付用帯を上記一方の収納体の取付用帯の両側に配置させ、他方の収納体の両端にまで達して位置付けてなるものである。
さらに、本考案小物入れケースは、一方の収納体の取付用帯を複数配置させ、他方の収納体の取付用帯も複数配置させてなるものである。
また、本考案小物入れケースは、上記一対の収納体を磁性体により構成して着磁させ、一対の収納体の閉状態を保持するようにしてなるものである。
さらに、本考案小物入れケースは、それぞれの収納体の両端面を磁性体にして着磁させ、一対の収納体の閉状態を保持するようにしてなるものである。
【考案の効果】
【０００６】
本考案の小物入れケースは、両端面を閉面とし表面を円弧面とし少なくとも何れか一方の内面に小物入れ用窪み部を設けた一対の収納体を設け、これら一対の収納体の内面を対面させて配置し、一方の収納体の一部の表面に取付用帯を接触させ、取付用帯の一端を一方の収納体の縁に固着する一方取付用帯の他端を他方の収納体の縁に固着するとともに、他方の収納体の一部の表面に同じく取付用帯を接触させ、この取付用帯の一端を他方の収納体の縁に固着する一方その取付用帯の他端を一方の収納体の縁に固着させてなり、一方の収納体の取付用帯と他方の収納体の取付用帯とを交互に配置させてなるものである。そこで、一方の収納体の表面に接触させた取付用帯の他方の収納体の縁に固着した他端及び他方の収納体の表面に接触させた取付用帯の一方の収納体の縁に固着した他端を支点にして、それぞれの収納体を９０°づつ開放すると１８０°の開放状態になる。又は、他方の収納体を同じ支点にして一方の収納体に対して１８０°開放することもでき、同じ状態になる。
即ち、本考案小物入れケースは、一対の収納体をヒンジ連結するヒンジを必要としないから、構造を簡単にし、安価に提供できる効果がある。
【０００７】
本発明小物入れケースは、一方の収納体の取付用帯を収納体の中央部に位置付け、他方の収納体の取付用帯を上記一方の収納体の取付用帯の両側に配置させ、他方の収納体の両端にまで達して位置付けてなるものであるから、一方の収納体に１本の取付用帯を、また他方の収納体に２本の取付用帯を配置させ、シンプルなデザインとなし得た効果がある。
また、本発明小物入れケースは、一方の収納体の取付用帯を複数配置させ、他方の収納体の取付用帯も複数配置させてなるものであるから、それぞれの収納体に複数の取付用帯が配置され、一方の収納体と他方の収納体に交互に配置されるから、きわめて斬新なデザインのケースとなし得た効果を有する。
【０００８】
本発明小物入れケースは、上記一対の収納体を磁性体により構成して着磁させ、一対の収納体の閉状態を保持するようにしてなるものであるから、収納体の閉じ状態を維持する止め具が不要であり、小物入れケースの外側に邪魔な突出部がなく、スマートで斬新なデザインとなし得た効果がある。
さらに、本発明小物入れケースは、それぞれの収納体の両端面を磁性体にして着磁させ、一対の収納体の閉状態を保持するようにしてなるものであるから、両端面を除く収納体の材料を合成樹脂によっても構成でき、低価格に提供できる効果がある。
【考案を実施するための最良の形態】
【０００９】
図面に示した好ましい実施例により本考案の詳細を説明する。
本考案の小物入れケースは、一対の収納体からなり、この収納体の開閉状態が２通りあり、一つの開状態から背中合わせになり、さらにそれから反転する状態で開閉状態になり、その逆にもなる。これを説明の便宜上、表の開閉状態、背中合わせ状態及び反転した裏の開閉状態という。
【００１０】
図中１，１’が一対の収納体で、両端面２，２’を閉面とし、表面を円弧面として、全体としてカマボコ状にしてある。この収納体１，１’の何れか１つの内面は窪み部３を形成してある。もちろん、一対の収納体１，１’の両方とも内面を窪み部３としてもよい。この窪み部３には、例えば印鑑、筆記具、眼鏡等の小物を入れる。
この収納体１，１’は、図２及び図３に示すように殻体４，４’とその内面に設けたクッション材５，５’とからなり、その端面２，２’を閉じて構成してある。この殻体４，４’と端面２，２’とも磁性体で構成し、着磁してもよいが、殻体４，４’を合成樹脂にし、端面２，２’を磁性体として着磁してもよい。これにより収納体１，１’を閉じた際、閉じ状態を保持するようにしてある。
【００１１】
これら一対の収納体１，１’の内面を図１ないし図３に示すように対面させて配置し、一方の収納体１の中央位置の表面に取付用帯６を収納体１の幅方向に接触させ、この取付用帯６の一端を一方の収納体１の開放側の縁７に固着する一方取付用帯６の他端を他方の収納体１’の閉じ側の縁８’に固着してある。
次に、他方の収納体１’の両端に位置して、即ち、上記一方の取付用帯６を挟むようにして収納体１’の表面に取付用帯６’を収納体１’の幅方向に接触させ、この取付用帯６’の一端を他方の収納体１’の開放側の縁８に固着する一方、取付用帯６’の他端を一方の収納体１の閉じ側の縁７’に固着してある。即ち、一方の収納体１の取付用帯６と他方の収納体１’の取付用帯６’とを交互に配置させてある。
【００１２】
上記一方の収納体１の取付用帯６は、図２に示すようにその一端を収納体１の開放側の縁７に固着してあるが、この固着手段は取付用帯６を縁７をくるんで折り返し、その端を図示する通り殻体４とクッション材５との間に挟んで固着してある。一方この取付用帯６の他端は、同じく図２に示すように他方の収納体１’の閉じ側の縁８’に固着してあるが、上記と同様に収納体１’の殻体４’の閉じ側の縁８’とクッション材５’との間に挟んで固着してある。
【００１３】
さらに、収納体１’の取付用帯６’は、図３に示すように、その一端を収納体１’の開放側の縁８に固着してある。この固着手段は、取付用帯６’を縁８をくるんで折り返し、その端を図示する通り殻体４’とクッション材５’との間に挟んで固着してある。一方、この取付用帯６’の他端は、同じく図３に示すように一方の収納体１の閉じ側の縁７’に固着してあり、上記と同様に収納体１の殻体４の閉じ側の縁７’とクッション材５との間に挟んで固着してある。
図示した実施例では一方の収納体１の取付用帯６’を１本とし、他方の収納体１’の取付用帯６’を２本とし、これを交互に配置したが一方の収納体１の取付用帯６を複数本にし、これに対して他方の収納体１’の取付用帯６’の複数本を交互に配置することもできる。
【００１４】
上記の通りの構成からなる本考案小物入れケースは、次の通りの開閉作用をする。
先ず、図１に示す閉状態から、他方の収納体１’を図上矢印方向に作動すると、図４に示す通りの解放状態となる。即ち、図２及び図３の閉状態から、収納体１’を右方向に回動すると、取付用帯６，６’によって閉じられている殻体４，４’の閉じ側の縁７’，８’を支点として回動し、１８０°回動すると、図４の状態となる。さらに収納体１，１’を同時に９０°づつ左右に回動しても同様な開放状態になり、表の開閉状態が形成される。
【００１５】
これからさらに図４の矢印方向に収納体１’を回動すると、取付用帯６，６’が殻体４，４’から剥離されて図５及び図６，７に示すように背中合わせの状態になる。
これからさらに収納体１’を図５上矢印方向に回動すると，取付用帯６，６’が裏返しとなり、図８に示す裏の開状態となり、さらに収納体１’を図８の矢印の方向に回動すると、図９に示すように収納体１，１’は閉じられ、裏の開閉状態となる。
このことにより、取付用帯は表の状態から裏の状態となり、表裏にそれぞれ異なる図柄、文字等を表示すれば、より斬新なデザインとなる。
【図面の簡単な説明】
【００１６】
【図１】本考案小物入れケースの表の閉状態の斜視図。
【図２】図１上Ａ−Ａ線に沿う拡大断面図。
【図３】図１上Ｂ−Ｂ線に沿う拡大断面図。
【図４】本考案小物入れケースの表の開状態の斜視図。
【図５】一対の収納体を背中合わせにまで回転した状態の斜視図。
【図６】図５上Ｃ−Ｃ線に沿う拡大断面図。
【図７】図５上Ｄ−Ｄ線に沿う拡大断面図。
【図８】一対の収納体をさらに回転させて反転状態にし裏の開状態にした斜視図。
【図９】一対の収納体を反転状態から裏の閉状態にした斜視図。
【符号の説明】
【００１７】
１，１’  収納体
２，２’  端面
３        窪み部
４，４’  殻体
５，５’  クッション材
６，６’  取付用帯
７，７’  縁
８，８’  縁
【図１】
0003117363.tif 000003
【図２】
0003117363.tif 000004
【図３】
0003117363.tif 000005
【図４】
0003117363.tif 000006
【図５】
0003117363.tif 000007
【図６】
0003117363.tif 000008
【図７】
0003117363.tif 000009
【図８】
0003117363.tif 000010
【図９】
0003117363.tif 000011